(57)【要約】【課題】被記録媒体の前処理の生産性が低下するのを低減可能な前処理情報作成プログラム、及び前処理情報作成方法を提供する。【解決手段】端末装置のＣＰＵは、被記録媒体上に印刷する画像データを受付ける（Ｓ１）。端末装置のＣＰＵは、前処理情報を特定する為の設定画面を表示部の画面上に表示させる（Ｓ５）。端末装置のＣＰＵは、操作者による設定画面の設定に基づき、前処理情報を特定する（Ｓ７）。故に、画像データを受け付けたタイミングで、前処理情報を特定できるので、前処理の直前に前処理情報を特定するよりも前処理装置の生産性が低下することを低減できる。【選択図】図９
2019117590.tif 000002
【特許請求の範囲】
【請求項１】
前処理装置における被記録媒体の前処理に使用される前処理情報を作成する前処理情報作成装置のコンピュータに、
前記被記録媒体上に印刷する画像データを受付ける第一受付ステップと、
前記第一受付ステップにて受付けた前記画像データに対し、前記前処理を行うための前記前処理情報を特定する特定ステップと、
を実行させることを特徴とする前処理情報作成プログラム。
【請求項２】
前記コンピュータに、
前記特定ステップにて特定した前記前処理情報と前記第一受付ステップにて受付けた前記画像データとを対応付けて記憶部に記憶させる記憶ステップを更に実行させること
を特徴とする請求項１に記載の前処理情報作成プログラム。
【請求項３】
前記コンピュータに、
識別子を発行する発行ステップを更に実行させ、
前記記憶ステップにて、前記発行ステップにより発行された前記識別子を前記前処理情報と前記画像データとに対応付けて前記記憶部に記憶させること
を特徴とする請求項２に記載の前処理情報作成プログラム。
【請求項４】
前記特定ステップにて、前記前処理を行う前処理範囲を含む前記前処理情報を特定すること
を特徴とする請求項１〜３の何れかの一に記載の前処理情報作成プログラム。
【請求項５】
前記特定ステップにて、前記第一受付ステップにて受付けた前記画像データが示す画像を所定倍率により拡大した拡大画像を覆う範囲を、前記前処理を行う前処理範囲として特定すること
を特徴とする請求項１〜４の何れかの一に記載の前処理情報作成プログラム。
【請求項６】
前記特定ステップにて、前記拡大画像を矩形形状で覆う範囲を、前記前処理を行う前処理範囲として特定すること
を特徴とする請求項５に記載の前処理情報作成プログラム。
【請求項７】
前記特定ステップにて、前処理範囲として前処理剤を塗布する塗布範囲、及び熱処理範囲を特定すること
を特徴とする請求項１〜４何れかの一に記載の前処理情報作成プログラム。
【請求項８】
前記特定ステップにて、前処理装置が備える複数の前記前処理剤の塗布部の各単位塗布範囲で形成された前記塗布範囲を特定すること
を特徴とする請求項７に記載の前処理情報作成プログラム。
【請求項９】
前記特定ステップにて、前処理装置が備える熱処理部の単位熱処理範囲で形成された前記熱処理範囲を特定すること
を特徴とする請求項７又は８に記載の前処理情報作成プログラム。
【請求項１０】
前記特定ステップにて、前処理剤の種類と前記前処理剤の塗布量の少なくとも一つを特定すること
を特徴とする請求項１〜９の何れか一に記載の前処理情報作成プログラム。
【請求項１１】
前記特定ステップにて、前処理装置が備える熱処理部の、熱処理圧力、熱処理温度、熱処理時間、及び熱処理回数の少なくとも一つを特定すること
を特徴とする請求項１〜１０の何れかの一に記載の前処理情報作成プログラム。
【請求項１２】
前記コンピュータに、
前記被記録媒体の材質に関する情報である材質情報、及び製造に関する情報である製造情報の少なくとも一つを受け付ける第二受付ステップを更に実行させ、
前記特定ステップにて、前記第二受付ステップにて受け付けた前記材質情報、及び前記製造情報の少なくとも一つに基づき、前記前処理情報を特定すること
を特徴とする請求項１〜１１の何れかの一に記載の前処理情報作成プログラム。
【請求項１３】
前処理装置における被記録媒体の前処理に使用される前処理情報を作成する前処理情報作成装置の前処理情報作成方法であって、
前記前処理情報作成装置の制御部が前記被記録媒体上に印刷する画像データを受付ける第一受付ステップと、
前記制御部が前記第一受付ステップにて受付けた前記画像データに対し、前記前処理を行うための前記前処理情報を特定する特定ステップと、
を備えることを特徴とする前処理情報作成方法。
【発明の詳細な説明】
【技術分野】
【０００１】
本発明は、前処理情報作成プログラム、及び前処理情報作成方法に関する。
【背景技術】
【０００２】
印刷処理の前に前処理を行う前処理装置が知られている。例えば、特許文献１に記載のインクジェット捺染装置は、捺染実行部と前処理部とを備えている。前処理部は、捺染実行部による被捺染材へのインクの吐出に先立って、被捺染材の皺伸ばし処理を行う。また、前処理部は、被捺染材への前処理剤としてのコート液の付着処理等の他の処理も行う。
【先行技術文献】
【特許文献】
【０００３】
【特許文献１】特開２０１３−１９０８３号公報
【発明の概要】
【発明が解決しようとする課題】
【０００４】
前処理部が、前処理剤の定着のための熱処理を行うことも考えられる。前処理装置の操作者が、前処理剤の単位面積当たりの塗布量、塗布範囲、熱処理の時間、熱処理の温度等の前処理情報を前処理装置の操作部、又は前処理装置に接続されている端末装置を介して前処理の直前に指定することが考えられる。しかしながら、前処理の直前に前処理情報が指定されると、被捺染材への前処理の生産性が低下する可能性がある。
【０００５】
本発明の目的は、被記録媒体の前処理の生産性が低下するのを低減可能な前処理情報作成プログラム、及び前処理情報作成方法を提供することである。
【課題を解決するための手段】
【０００６】
第一態様の前処理情報作成プログラムは、前処理装置における被記録媒体の前処理に使用される前処理情報を作成する前処理情報作成装置のコンピュータに、前記被記録媒体上に印刷する画像データを受付ける第一受付ステップと、前記第一受付ステップにて受付けた前記画像データに対し、前記前処理を行うための前記前処理情報を特定する特定ステップとを実行させることを特徴とする。
【０００７】
前処理情報作成プログラムにより、画像データを受け付けたタイミングで、前処理情報を特定できるので、前処理の直前に前処理情報を特定するよりも前処理装置の生産性が低下することを低減できる。
【０００８】
前記コンピュータに、前記特定ステップにて特定した前記前処理情報と前記第一受付ステップにて受付けた前記画像データとを対応付けて記憶部に記憶させる記憶ステップを更に実行させても良い。前処理情報作成プログラムにより、画像データと前処理情報とが対応付けられるので、前処理装置により、画像データに対応する画像が配置される範囲に対して、より適切に前処理が行われる可能性が高くなる。
【０００９】
前記コンピュータに、識別子を発行する発行ステップを更に実行させ、前記記憶ステップにて、前記発行ステップにより発行された前記識別子を前記前処理情報と前記画像データとに対応付けて前記記憶部に記憶させても良い。前処理情報作成プログラムにより、識別子により画像データと前処理情報とが対応付けられるので、前処理装置により、画像データに対応する画像が配置される範囲に対して、より適切に前処理が行われる可能性が高くなる。
【００１０】
前記特定ステップにて、前記前処理を行う前処理範囲を含む前記前処理情報を特定しても良い。前処理情報作成プログラムにより、画像データを受け付けたタイミングで、前処理範囲を含む前処理情報を特定できるので、前処理の直前に前処理範囲を含む前処理情報を特定するよりも前処理装置の生産性が低下することを低減できる。
【００１１】
前記特定ステップにて、前記第一受付ステップにて受付けた前記画像データが示す画像を所定倍率により拡大した拡大画像を覆う範囲を、前記前処理を行う前処理範囲として特定しても良い。前処理情報作成プログラムにより、拡大画像を覆う範囲を前処理範囲とするので、前処理装置にて前処理が行われる際に、前処理範囲がずれたとしても、画像が配置される範囲に前処理が適切に行われる可能性が高くなる。
【００１２】
前記特定ステップにて、前記拡大画像を矩形形状で覆う範囲を、前記前処理を行う前処理範囲として特定しても良い。前処理情報作成プログラムにより、円などの曲線から成る形状で拡大画像を覆うよりも適切に拡大画像を覆うことができる。従って、前処理装置により、より適切に前処理が行われる可能性が高くなる。
【００１３】
前記特定ステップにて、前処理範囲として前処理剤を塗布する塗布範囲、及び熱処理範囲を特定しても良い。前処理情報作成プログラムにより、画像データを受け付けたタイミングで、塗布範囲、及び熱処理範囲を特定できるので、前処理の直前に塗布範囲、及び熱処理範囲を特定するよりも前処理装置の生産性が低下することを低減できる。
【００１４】
前記特定ステップにて、前処理装置が備える複数の前記前処理剤の塗布部の各単位塗布範囲で形成された前記塗布範囲を特定しても良い。前処理情報作成プログラムにより、塗布範囲が複数の塗布部の各単位塗布範囲で形成されるので、より適切に塗布範囲を特定できる。従って、前処理装置により、より適切に前処理が行われる可能性が高くなる。
【００１５】
前記特定ステップにて、前処理装置が備える熱処理部の単位熱処理範囲で形成された前記熱処理範囲を特定しても良い。前処理情報作成プログラムにより、熱処理範囲が単位熱処理範囲で形成されるので、より適切に熱処理範囲を特定できる。従って、前処理装置により、より適切に前処理が行われる可能性が高くなる。
【００１６】
前記特定ステップにて、前処理剤の種類と前記前処理剤の塗布量の少なくとも一つを特定しても良い。前処理情報作成プログラムにより、画像データを受け付けたタイミングで、前処理剤の種類と前処理剤の塗布量の少なくとも一つを特定できる。従って、前処理の直前に前処理剤の種類と前処理剤の塗布量の少なくとも一つを特定するよりも前処理装置の生産性が低下することを低減できる。
【００１７】
前記特定ステップにて、前処理装置が備える熱処理部の、熱処理圧力、熱処理温度、熱処理時間、及び熱処理回数の少なくとも一つを特定しても良い。前処理情報作成プログラムにより、画像データを受け付けたタイミングで、熱処理圧力、熱処理温度、熱処理時間、及び熱処理回数の少なくとも一つを特定できる。従って、前処理の直前に熱処理圧力、熱処理温度、熱処理時間、及び熱処理回数の少なくとも一つを特定するよりも前処理装置の生産性が低下することを低減できる。
【００１８】
前記コンピュータに、前記被記録媒体の材質に関する情報である材質情報、及び製造に関する情報である製造情報の少なくとも一つを受け付ける第二受付ステップを更に実行させ、前記特定ステップにて、前記第二受付ステップにて受け付けた前記材質情報、及び前記製造情報の少なくとも一つに基づき、前記前処理情報を特定しても良い。前処理情報作成プログラムにより、材質情報、及び製造情報の少なくとも一つに基づき前処理情報が特定できる。従って、前処理装置により、被記録媒体の特性に基づいたより適切な前処理が行われる可能性が高くなる。
【００１９】
第二態様における前処理情報作成方法は、前処理装置における被記録媒体の前処理に使用される前処理情報を作成する前処理情報作成装置の前処理情報作成方法であって、前記前処理情報作成装置の制御部が前記被記録媒体上に印刷する画像データを受付ける第一受付ステップと、前記制御部が前記第一受付ステップにて受付けた前記画像データに対し、前記前処理を行うための前記前処理情報を特定する特定ステップとを備えることを特徴とする。
【００２０】
前処理情報作成方法により、画像データを受け付けたタイミングで、前処理情報を特定できるので、前処理の直前に前処理情報を特定するよりも前処理装置の生産性が低下することを低減できる。
【図面の簡単な説明】
【００２１】
【図１】端末装置３を含むシステムのネットワーク構成図である。
【図２】前処理装置１０の概略構成を示す斜視図である。
【図３】端末装置３の概略的な電気的構成を示すブロック図である。
【図４】第一設定画面９１の例を示す図である。
【図５】第二設定画面９２の例における第一具体例を示す図である。
【図６】第二設定画面９２の例における第二具体例を示す図である。
【図７】（Ａ）は、第一テーブル８１の例を示す図である。（Ｂ）は、第二テーブル８２の例である。
【図８】（Ａ）は、塗布範囲ＣＲ１の例を示す図である。（Ｂ）は、熱処理範囲ＰＲ１，ＰＲ１−１の例を示す図である。
【図９】第一メイン処理の流れを示すフローチャートである。
【図１０】第一範囲特定処理の流れを示すフローチャートである。
【図１１】（Ａ）は、第三設定画面９３の例における第一具体例を示す図である。（Ｂ）は、第三設定画面９３の例における第二具体例を示す図である。
【図１２】第二メイン処理の流れを示すフローチャートである。
【図１３】第三メイン処理の流れを示すフローチャートである。
【図１４】前処理範囲１０２の第一特定方法を説明する為の図である。
【図１５】第二範囲特定処理の流れを示すフローチャートである。
【図１６】前処理範囲１０２の第二特定方法を説明する為の図である。
【図１７】第三範囲特定処理の流れを示すフローチャートである。
【発明を実施するための形態】
【００２２】
本発明の前処理情報作成装置を、図面を参照して説明する。本実施形態の前処理情報作成装置は後述する端末装置３を例にして説明する。
【００２３】
＜システム構成＞
図１に示す様に、一又は複数の前処理装置１０、一又は複数のプリンタ１、サーバ２、及び一又は複数の端末装置３は、ネットワーク４を介して互いに接続されている。プリンタ１は印刷データに基づき被記録媒体の一例である布帛に印刷処理を実行する。印刷データはプリンタ１が布帛に印刷を行う為の情報である。ネットワーク４は、一例として、イントラネット、及びインターネット等である。また、一又は複数の前処理装置１０、一又は複数のプリンタ１、サーバ２、及び一又は複数の端末装置３は、夫々がネットワーク４に接続されていなくても良く、例えば、ＵＳＢ（Universal Serial Bus）（登録商標）ポート等のシリアルポートに接続可能なシリアルケーブルを介して、夫々接続されていても良い。更に、ネットワーク４を介した接続とシリアルケーブルを介した接続が混在していても良い。
【００２４】
＜前処理装置１０＞
図２の上方、下方、右下方、左上方、左下方、及び右上方が、各々、前処理装置１０の上方、下方、前方、後方、右方、及び左方である。前処理装置１０は、プリンタ１により布帛に印刷を行う前に、前処理を行う装置である。前処理の一例は、前処理剤の布帛への塗布、前処理剤を布帛に定着させるための高温での熱処理である。一例として、図２に示す様に、前処理装置１０は、プラテン３１、塗布部４０、及び熱処理部５０等を備える。プラテン３１は被記録媒体の一例である布帛を載置する。塗布部４０は布帛に前処理剤を塗布する。熱処理部５０は、布帛を高温で加圧して前処理剤を乾燥させることで、前処理剤の布帛への定着を向上させ、画質を向上させる。布帛の材質の一例は、綿、ポリエステル、綿とポリエステルとの混合等である。前処理剤は、カラーインクの発色を良くする。前処理剤の一例は、ＣａＣｌ２等の金属塩を含む水溶液である。
【００２５】
図２に示す様に、プラテン３１のセット位置Ｐ１は、操作者が布帛をプラテン３１に載置するときのプラテン３１の位置であり、一例として、プラテン３１が前側に一番移動した位置である。プラテン３１は、上面が前後方向に長尺な略長方形の形状である。また、プラテン３１は、下面の中央部に円筒状の連結部（不図示）を備えている。
【００２６】
＜プラテン搬送機構＞
前処理装置１０は、プラテン３１の下方に、プラテン３１を前後に搬送するプラテン搬送機構（不図示）を備える。プラテン搬送機構は、二本のガイド６０、ベルト（不図示）、プーリー（不図示）、支持部（不図示）、及びプラテンモータ（不図示）等を備えている。二本のガイド６０は、前処理装置１０の前部から後方向に延設され、左右に並列に設けられている。ガイド６０は一例として、円柱の金属製の棒である。プラテン３１は、二本のガイド６０に沿って、前後方向に移動する。プラテンモータは、一例として、ステッピングモータである。
【００２７】
支持部は、プラテン３１を支持し、プラテン３１の連結部に連結されている。また、支持部は、二本のガイド６０が挿入されている二つの挿入孔（不図示）を有する。従って、支持部が、プラテン搬送機構のベルトにより、前後方向に移動することに伴い、プラテン３１は前後方向に移動する。
【００２８】
＜塗布部４０＞
塗布部４０は、少なくとも一つのスプレー（不図示）、前処理剤用のタンク（不図示）、及びタンク内の前処理剤をスプレーに供給する為の流路（不図示）等を備えている。また、スプレーのノズル（不図示）は流路に各々接続されている。タンクが複数設けられている場合には、夫々のタンクには、異なる種類の前処理剤が蓄積されている。スプレーの噴霧面は、プラテン３１の上面に対向している。スプレーは、後述する検出部（不図示）がプラテン３１の塗布位置（不図示）への移動を検出した時に、布帛に対し前処理剤の噴霧を開始する。塗布位置は、塗布部４０が前処理剤の塗布を開始する位置である。
【００２９】
＜熱処理部５０＞
熱処理部５０は、塗布部４０より後方向に離れて配置されている。熱処理部５０は、一例として、近赤外線ヒータ、高温の空気を送風する送風装置、ヒートプレス装置、ヒートローラ等である。以下では、熱処理部５０はヒートプレス装置であるとして説明する。熱処理部５０は、プレス部５１、プレス面駆動機構５２、連結部５３、及びプレス支持部５４等を備える。プレス面駆動機構５２は、プーリー（不図示）、及びプレスモータ（不図示）等を備える。プレス部５１は、前後方向に長尺な略長方形の形状に形成されている。プレス部５１の下面はプレス面５１Ａとして機能する。
【００３０】
プレス部５１は、指定された温度に発熱する発熱機構（不図示）を内部に有し、プレス面駆動機構５２により、上下に移動可能である。検出部がプラテン３１の熱処理位置（不図示）への移動を検出した時に、プレス面駆動機構５２によりプレス部５１が降下し、プレス面５１Ａは、布帛に対しヒートプレスを開始する。以下、熱処理部５０が下方向へのプレス動作を開始する位置を「熱処理位置」と言う。
【００３１】
プレス面５１Ａは、プラテン３１が熱処理位置に位置する時、プラテン３１の上面に対し四方（前後左右）に大きい。従って、前処理装置１０は、前処理剤が塗布された布帛の領域を一度でヒートプレスできる。
【００３２】
＜端末装置３の電気的構成＞
図３に示す様に、端末装置３は、ＣＰＵ(Central Processing Unit)３０１、ＲＯＭ(Read Only Memory)３０２、ＲＡＭ(Random Access Memory)３０３、ＨＤＤ（Hard Disc Drive）３０４、操作部３０５、表示部３０６、通信部３０７、及び出入力部３０８等を備え、バス３０９を介して互いに接続されている。端末装置３は、一例として、ＰＣ（Personal Computer）、高機能携帯、及びタブレット等である。
【００３３】
ＣＰＵ３０１は、端末装置３全体を制御し、ＨＤＤ３０４から各種のプログラムを読み出し、ＲＡＭ３０３をワーキングメモリとして使用して各種の処理を実行する。例えば、ＣＰＵ３０１は、ＨＤＤ３０４から後述する第一メイン処理用のプログラムを読み出して、第一メイン処理を実行する。
【００３４】
ＨＤＤ３０４は、第一メイン処理用のプログラム、第一範囲特定処理用のプログラム等の各種のプログラム、及び各種の情報を記憶している。ＨＤＤ３０４は、後述する第一設定画面９１、及び第二設定画面９２の情報等の各種の設定画面の情報を記憶している。ＨＤＤ３０４は、後述するプラテン３１の領域を分割した領域と該領域の少なくも左前端部のＸＹ座標を対応付けて夫々記憶している。ＨＤＤ３０４は、接続されている前処理装置１０毎に、熱処理部５０がプラテン３１の領域を分割した領域毎に熱処理可能であるか否かの情報を記憶している。プラテン３１のＸＹ座標は後述する。ＨＤＤ３０４は、第二設定画面９２で設定可能な製造情報毎に前処理範囲１０２を含まない前処理情報を対応付けて記憶している。ＨＤＤ３０４は、後述する第一テーブル８１、及び第二テーブル８２等のテーブル（対応情報）類を記憶している。テーブルは対応情報の一例であり、本実施形態においてはテーブルを例に説明するが、対応情報の態様は任意である。
【００３５】
操作部３０５は、キーボード等を備えている。キーボードは、例えば、ボタン等を備えている。操作者は、操作部３０５を操作して、所望の指示を端末装置３に与えることができる。表示部３０６は、周知のディスプレイ装置等で構成される。表示部３０６は、タッチパネルを備え、操作部３０５としても機能しても良い。
【００３６】
通信部３０７は、無線モジュール（不図示）と有線モジュール（不図示）の内の少なくとも一方を有し、前処理装置１０、プリンタ１、及びサーバ２とネットワーク４を介して接続可能である。通信部３０７は、例えば、サーバ２や他のサーバ等の外部装置から送信された画像データを受信する。通信部３０７は、画像データを受信すると、受信した画像データをＣＰＵ３０１に入力する。端末装置３は、通信部３０７の代わりに、ＵＳＢポートに接続可能な無線モジュールにより、前処理装置１０、プリンタ１、及びサーバ２とネットワーク４を介して接続されても良い。
【００３７】
出入力部３０８は、ＳＤ(Secure Digital)メモリカードスロット、及びＵＳＢポート等を備えている。出入力部３０８は、例えば、ＳＤメモリカードスロットに挿入されたＳＤメモリカード、及びＵＳＢポートに接続された外部装置等から画像データを受付ける。出入力部３０８は、画像データを受付けると、受付けた画像データをＣＰＵ３０１に入力する。画像データには、画像データに対応する画像１０１の前処理装置１０のプラテン３１における配置情報が付随していても良い。
【００３８】
＜第一設定画面９１＞
図４に示す様に、第一設定画面９１は印刷枚数等の印刷情報を設定する為の印刷設定画面（不図示）、又は前処理情報を設定する為の第二設定画面９２を表示部３０６の画面上に表示させる為の設定画面である。第一設定画面９１中のウィンドウ１００は通信部３０７等で受付けた画像データに対応する画像１０１を表示するウィンドウである。
【００３９】
第一設定画面９１中の"印刷設定ボタン１１０"が操作者により選択されると、"印刷設定ボタン１１０"が選択された旨の情報がＣＰＵ３０１に入力される。"印刷設定ボタン１１０"が選択された旨の情報が入力されると、ＣＰＵ３０１は、表示部３０６を制御し、印刷設定画面を表示部３０６の画面上に表示させる。第一設定画面９１中の"前処理情報設定ボタン１１１"が操作者により選択されると、"前処理情報設定ボタン１１１"が選択された旨の情報がＣＰＵ３０１に入力される。"前処理情報設定ボタン１１１"が選択された旨の情報が入力されると、ＣＰＵ３０１は、表示部３０６を制御し、第二設定画面９２を表示部３０６の画面上に表示させる。
【００４０】
＜第二設定画面９２＞
図５（Ａ）に示す様に、第二設定画面９２は、前処理範囲１０２を除く前処理情報を設定する為の設定画面の例である。第二設定画面９２に表示された製造情報の各項目が、操作者により選択されることにより、ＣＰＵ３０１は、選択された製造情報の各項目に対応する前処理情報を特定し、ＣＰＵ３０１により特定された前処理情報の各項目が第二設定画面９２の右側に表示される。
操作者により"ＯＫボタン１１２"が選択されることで、前処理情報が設定される。設定された前処理情報は、ＣＰＵ３０１に入力される。製造情報は、例えば、メーカー、ブランド、型番、及びロットである。メーカーは、被記録媒体に印刷を施した完成品の製造先の情報である。以下、完成品を製品と言う。ブランドは、メーカーが展開するブランドの情報である。型番は、製品のモデル毎に割り当てられる管理番号の情報である。ロットは、生産管理上の製品の製造単位の管理番号の情報である。
【００４１】
前処理情報は、単位面積当たりの塗布量（ｍｇ／ｃｍ２）、塗布範囲、前処理剤の種類、熱処理圧力（Ｎ／ｃｍ２）、熱処理時間（ｓｅｃ）、熱処理温度（℃）、熱処理範囲、及び熱処理回数等である。単位面積当たりの塗布量（ｍｇ／ｃｍ２）は、前処理剤の単位面積当たりの塗布量（ｍｇ／ｃｍ２）の情報である。塗布範囲は、前処理剤を塗布する範囲の情報である。熱処理圧力（Ｎ／ｃｍ２）は、熱処理部５０がヒートプレス部やヒートローラ等、熱処理の対象である布帛に圧力を加える場合には、熱処理の際に加える圧力の値の情報である。従って、熱処理部５０が近赤外線ヒータや送風装置等、布帛に非接触の場合には、ヌル（―）が設定されている。熱処理時間（ｓｅｃ）は熱処理を行う時間の情報である。熱処理温度（℃）は熱処理を行う温度の情報である。熱処理範囲は、熱処理を行う範囲の情報である。熱処理回数は、設定されている熱処理時間（ｓｅｃ）の熱処理を繰り返す回数の情報である。
【００４２】
本実施形態の第二設定画面９２は、製造情報の各項目が選択されることで、選択された製造情報の各項目に対応する前処理情報が自動で設定される。図５（Ａ）は、製造情報として操作者により選択されたメーカー、ブランド、型番、及びロットは、夫々、ＭＫ２、ＢＲ１、ＴＮ２、及びＲＴ２である場合を示す。この場合、設定される前処理情報の単位面積当たりの塗布量（ｍｇ／ｃｍ２）、前処理剤の種類、熱処理圧力（Ｎ／ｃｍ２）、熱処理時間（ｓｅｃ）、及び熱処理温度（℃）等は、夫々、Ｃ４、Ｌ４、Ｐ４、Ｔ４、及びＴＰ４等となる。
【００４３】
また、本実施形態の第二設定画面９２は前処理情報を直接指定することも可能である。図６は、前処理情報を直接指定した場合の例を示している。前処理情報を直接指定する場合には、操作者は第二設定画面９２の手動設定を選択する。手動設定を選択することで、前処理情報の各項目の欄に所望の値や所望の前処理剤の種類を入力可能となる。操作者により、前処理情報の各項目の欄に所望の値や所望の前処理剤の種類が入力された後、"ＯＫボタン１１２"が選択されると入力された前処理情報が設定される。設定された前処理情報は、ＣＰＵ３０１に入力される。
【００４４】
＜第一テーブル８１＞
図７（Ａ）に示す様に、第一テーブル８１は、識別子、画像データ、及び前処理範囲１０２を含む前処理情報が対応付けられているテーブルである。識別子は、例えば、ＣＰＵ３０１が生成する乱数等の一意的な識別記号の情報である。画像データは、通信部３０７、又は出入力部３０８が受信し、又は受付けた画像データである。前処理情報は、上述したので、ここでの説明は省略する。なお、前処理範囲１０２は、前処理を行う範囲の情報である。
【００４５】
＜第二テーブル８２＞
図７（Ｂ）に示す様に、第二テーブル８２は、スプレー毎に塗布領域の左右方向（Ｘ軸方向）の塗布区間が対応付けられているテーブルである。図７（Ｂ）に示す第二テーブル８２は、スプレーの数が七個の場合の例であり、プラテン３１の左端がＸ軸の"０"となっている。例えば、スプレー（３）の塗布区間は[ｂ，ｃ]である。つまり、スプレー（３）は、塗布区間[ｂ，ｃ]に噴霧出来る。
【００４６】
図８（Ａ）は、具体例における塗布範囲ＣＲ１を示す図である。図８（Ａ）の例では、塗布範囲ＣＲ１は、網掛けされた領域である。つまり、塗布範囲ＣＲ１は、（（３），４〜５）領域、（（２）〜（４），６〜９）領域から成る領域である。プラテン３１を分割した各領域は、前処理を実行する前処理装置１０の塗布部４０が備える各スプレーが一回の塗布で塗布可能な塗布範囲である。図８（Ｂ）は、具体例における熱処理範囲ＰＲ１，ＰＲ１−１を示す図である。図８（Ｂ）の例において、熱処理部５０が近赤外線装置等、プラテン３１を分割した各領域（図８の例では、７×１８分割）に熱処理を行える構成であれば、この分割した各領域に対して、ＣＰＵの制御の下、熱処理部５０が熱処理を行うことが可能である。この場合、熱処理部５０は、網掛けされた領域を熱処理範囲ＰＲ１として熱処理する。つまり、この場合は、塗布範囲ＣＲ１と熱処理範囲ＰＲ１が同じ範囲になる。
【００４７】
一方、ＣＰＵの制御の下、熱処理部５０がヒートプレス装置、送風装置、又はヒートローラ等、プラテン３１を分割した各領域（図８の例では、７×１８分割）に熱処理を行えない構成であれば、熱処理部５０は、例えば、太線枠で囲まれた（（１）〜（７）、４〜９）領域を熱処理範囲ＰＲ１−１として熱処理を行う。すなわち、熱処理範囲ＰＲ１−１は熱処理部５０の構成に依存した形状になり、例えば、図２に示すプレス面５１Ａがプラテン３１と同一形状であれば、熱処理範囲ＰＲ１−１は、プラテン３１と同じ形状になる。
【００４８】
＜第一メイン処理＞
図９を参照して、第一メイン処理の流れを説明する。本第一メイン処理は、端末装置３の電源が投入されたことをトリガとして実行される。ＣＰＵ３０１は、ＨＤＤ３０４から第一メイン処理用のプログラムを読み出して、ＲＡＭ３０３をワーキングメモリとして使用し、本第一メイン処理を実行する。
【００４９】
初めに、ＣＰＵ３０１は、画像データを受付けたか判定する（Ｓ１）。一例として、ＣＰＵ３０１は、通信部３０７又は出入力部３０８から画像データが入力された場合に、画像データを受付けたと判定し、通信部３０７又は出入力部３０８から画像データが入力されていない場合に、画像データを受付けていないと判定する。ＣＰＵ３０１は、画像データを受付けていないと判定した場合には（Ｓ１：ＮＯ）、Ｓ１の処理を繰り返す。
【００５０】
ＣＰＵ３０１は、画像データを受付けたと判定した場合には（Ｓ１：ＹＥＳ）、第一設定画面９１の"前処理情報設定ボタン１１１"が選択されたか判定する（Ｓ３）。一例として、ＣＰＵ３０１は、"前処理情報設定ボタン１１１"が選択された旨の情報が入力されたか判定することで、"前処理情報設定ボタン１１１"が選択されたか判定する。ＣＰＵ３０１は、"前処理情報設定ボタン１１１"が選択されていないと判定した場合には（Ｓ３：ＮＯ）、Ｓ３の処理を繰り返す。ＣＰＵ３０１は、"前処理情報設定ボタン１１１"が選択されたと判定した場合には（Ｓ３：ＹＥＳ）、表示部３０６を制御し、第二設定画面９２を画面上に表示させる（Ｓ５）。
【００５１】
ＣＰＵ３０１は、前処理情報を特定したか判定する（Ｓ７）。一例として、ＣＰＵ３０１は、操作者により第二設定画面９２の製造情報の各項目が設定されたか判定する。ＣＰＵ３０１は、第二設定画面９２の"ＯＫボタン１１２"が選択された旨の情報が入力されたか判定することで、操作者により第二設定画面９２の製造情報の各項目が設定されたか判定する。ＣＰＵ３０１は、第二設定画面９２の製造情報の各項目が設定されたと判定した場合に、設定された製造情報の各項目に対応する前処理情報を特定する。ＣＰＵ３０１は、特定した前処理情報が入力されたか判定することで、前処理情報を特定したか判定する。また、ＣＰＵ３０１は、操作者により第二設定画面９２において設定された前処理情報が入力された場合に、前処理情報を特定したと判定する。ＣＰＵ３０１は、前処理情報を特定していないと判定した場合には（Ｓ７：ＮＯ）、Ｓ７の処理を繰り返す。ＣＰＵ３０１は、前処理情報を特定したと判定した場合には（Ｓ７：ＹＥＳ）、後述する範囲特定処理を実行する（Ｓ９）。範囲特定処理は、前処理範囲１０２を特定する処理である。
【００５２】
ＣＰＵ３０１は、識別子を発行する（Ｓ１１）。一例として、ＣＰＵ３０１は、乱数等の一意的な識別記号を発行し、ＲＡＭ３０３に発行した識別記号（識別子）を記憶する。ＣＰＵ３０１は、第一テーブル８１の行を追加する（Ｓ１３）。一例として、ＣＰＵ３０１は、第一テーブル８１の最下段の行の下に行を追加する。ＣＰＵ３０１は、画像データ、前処理範囲１０２を含む前処理情報、及び識別子を、夫々、第一テーブル８１の追加した行の対応する欄に格納する（Ｓ１５）。ＣＰＵ３０１は、Ｓ１の処理に戻る。
【００５３】
＜第一範囲特定処理＞
図１０を参照して、第一範囲特定処理の流れを説明する。本第一範囲特定処理は、第一メイン処理のＳ９の処理のサブルーチンである。ＣＰＵ３０１は、ＨＤＤ３０４から第一範囲特定処理用のプログラムを読み出して、ＲＡＭ３０３をワーキングメモリとして使用し、本第一範囲特定処理を実行する。
【００５４】
初めに、ＣＰＵ３０１は、受付けた画像データに付随するプラテン３１における画像１０１の配置情報に基づき、画像データに対応する画像１０１の外縁のＸＹ座標を特定する（Ｓ２１）。ＣＰＵ３０１は、画像１０１の外縁の各点のＸＹ座標を含む領域（図８の例では、プラテン３１の領域を７×１８分割した領域）を夫々特定する（Ｓ２３）。一例として、ＣＰＵ３０１は、ＨＤＤ３０４に記憶されているプラテン３１の領域を分割した領域と該領域の少なくも左前端部のＸＹ座標との対応情報に基づき、分割した各領域のプラテン３１における配置位置を特定することにより、画像１０１の外縁の各点のＸＹ座標を含む領域を夫々特定し、ＲＡＭ３０３に特定した領域を記憶する。
【００５５】
ＣＰＵ３０１は、特定した領域で囲まれた範囲を塗布範囲として特定する（Ｓ２５）。ＣＰＵ３０１は、ＲＡＭ３０３に特定した塗布範囲を記憶する。ＣＰＵ３０１は、前処理装置１０の熱処理部５０はプラテン３１の領域を分割した領域毎に熱処理が可能であるか判定する（Ｓ２７）。一例として、ＣＰＵ３０１は、ＨＤＤ３０４が記憶している、接続されている前処理装置１０毎に、熱処理部５０がプラテン３１の領域を分割した領域毎に熱処理が可能であるか否かの情報に基づき、前処理を実行する前処理装置１０の熱処理部５０がプラテン３１を分割した領域毎に熱処理が可能であるか判定する。
【００５６】
ＣＰＵ３０１は、分割した領域毎に熱処理が可能であると判定した場合には（Ｓ２７：ＹＥＳ）、Ｓ２５の処理で特定した塗布範囲を熱処理範囲として特定する（Ｓ２９）。ＣＰＵ３０１は、ＲＡＭ３０３に特定した熱処理範囲を記憶する。ＣＰＵ３０１は、第一メイン処理のＳ５の処理に進む。分割した領域毎に熱処理が可能でないと判定した場合には（Ｓ２７：ＮＯ）、塗布範囲を含む全ての行範囲から成る範囲を熱処理範囲として特定する（Ｓ３１）。ＣＰＵ３０１は、ＲＡＭ３０３に特定した熱処理範囲を記憶する。ＣＰＵ３０１は、第一メイン処理のＳ５の処理に進む。
【００５７】
＜第一実施形態の主な作用、及び効果＞
上記第一実施形態における端末装置３は、画像データを受付け、受付けた画像データに対し、前処理情報を特定する。故に、端末装置３は、画像データを受け付けたタイミングで、前処理情報を特定できるので、前処理の直前に前処理情報を特定するよりも前処理装置１０の生産性が低下することを低減できる。
【００５８】
上記第一実施形態における端末装置３は、前処理範囲１０２を含む前処理情報を特定する。故に、端末装置３は、画像データを受け付けたタイミングで、前処理範囲１０２を含む前処理情報を特定できるので、前処理の直前に前処理範囲１０２を含む前処理情報を特定するよりも前処理装置１０の生産性が低下することを低減できる。
【００５９】
上記第一実施形態における端末装置３は、ＨＤＤ３０４に記憶されている第一テーブル８１に受付けた画像データと特定した前処理情報とを対応付けて格納する。故に、画像データと前処理情報とが対応付けられるので、前処理装置１０により、画像データに対応する画像１０１が配置される範囲に対して、より適切に前処理が行われる可能性が高くなる。
【００６０】
上記第一実施形態における端末装置３は、識別子を発行し、ＨＤＤ３０４に記憶されている第一テーブル８１に発行した識別子と受付けた画像データと特定した前処理情報とを対応付けて格納する。故に、識別子により画像データと前処理情報とが対応付けられるので、誤って異なる前処理情報に基づく前処理が行われる可能性が低減される。従って、前処理装置１０により、画像データに対応する画像１０１が配置される範囲に対して、より適切に前処理が行われる可能性が高くなる。
【００６１】
上記第一実施形態における端末装置３は、前処理範囲１０２として塗布範囲、及び熱処理範囲を特定する。故に、端末装置３は、画像データを受け付けたタイミングで、塗布範囲、及び熱処理範囲を特定できるので、前処理の直前に塗布範囲、及び熱処理範囲を特定するよりも前処理装置１０の生産性が低下することを低減できる。
【００６２】
上記第一実施形態における端末装置３は、受付けた画像データに対応する画像１０１の外縁の各点を含むプラテン３１の領域を分割した領域を夫々特定し、特定した領域で囲まれた範囲を塗布範囲として特定する。プラテン３１の領域を分割した領域のＸ軸方向の区間は各スプレーの塗布範囲のＸ軸方向の区間に対応している。故に、端末装置３は、塗布範囲が複数のスプレーの各塗布範囲で形成されるので、より適切に塗布範囲を特定できる。従って、前処理装置１０により、より適切に前処理が行われる可能性が高くなる。
【００６３】
上記第一実施形態における端末装置３は、前処理を実行する前処理装置１０の熱処理部５０がプラテン３１の領域を分割した領域毎に、熱処理できる場合には、塗布範囲を熱処理範囲として特定する。故に、端末装置３は、熱処理範囲が熱処理を実行する前処理装置１０の熱処理部５０により熱処理が可能な単位範囲（プラテン３１の領域を分割した範囲）で形成されるので、より適切に熱処理範囲を特定できる。従って、前処理装置１０により、より適切に前処理が行われる可能性が高くなる。
【００６４】
上記第一実施形態における端末装置３は、製造情報を受付け、受付けた製造情報に基づき、製造情報に対応する前処理情報を特定する。従って、前処理装置１０により、被記録媒体の特性に基づいたより適切な前処理が行われる可能性が高くなる。
【００６５】
上記第一実施形態における端末装置３は、前処理を行う前処理装置１０の熱処理部５０がプラテン３１の領域を分割した領域毎に、熱処理できない場合には、塗布範囲を含む全ての行範囲から成る範囲を熱処理範囲として特定する。故に、端末装置３は、前処理を行う前処理装置１０に応じてより適切な熱処理範囲を特定できる。また、端末装置３は、前処理を行う前処理装置１０のエラーを低減可能な熱処理範囲を特定できる。
【００６６】
＜第二実施形態＞
第二実施形態におけるネットワーク４の構成、端末装置３の構成は第一実施形態の場合とほぼ同じである。従って、異なる部分を説明し、同じ部分の説明は省略する。第二実施形態では、ＨＤＤ３０４は、第一設定画面９１、及び第三設定画面９３を記憶している。ＨＤＤ３０４は、第三設定画面９３で設定可能な材質情報毎に前処理範囲１０２を含まない前処理情報を対応付けて記憶している。ＨＤＤ３０４は、後述する第二メイン処理用のプログラムを記憶している。
【００６７】
＜第三設定画面９３＞
図１１（Ａ）に示す様に、第三設定画面９３は、前処理範囲１０２を除く前処理情報を設定する為の設定画面の別の例である。第三設定画面９３においては、製造情報の代わりに材質情報が、操作者により選択される。第三設定画面９３の右側に選択された材質情報に対応する前処理情報の各項目が表示される。操作者により"ＯＫボタン１１２"が選択されることで、前処理情報が設定される。設定された前処理情報は、ＣＰＵ３０１に入力される。
【００６８】
材質情報は、例えば、生地の厚さ、素材、編み／織り、及び色である。メーカーは、被記録媒体に印刷を施した完成品の製造先の情報である。以下、完成品を製品と言う。ブランドは、メーカーが展開するブランドの情報である。生地の厚さは、単位面積当たりの生地の重量の情報である。素材は、綿、ポリエステル、及び綿とポリエステルの混合等の被記録媒体の生地の材料の情報である。編み／織りは、生地の編み方法、又は織り方法の情報である。色は、被記録媒体の色の情報である。
【００６９】
本実施形態の第三設定画面９３は、材質情報の各項目が選択されることで、選択された材質情報の各項目に対応する前処理情報が自動で設定される。図１１（Ａ）は、材質情報として操作者により選択された生地の厚さ、素材、編み／織り、及び色が、夫々、ＴＨ２、ＭＴ１、ＷＥ２、及びＣＬ２の場合を示す。この場合、ＣＰＵ３０１は、選択された材質情報の各項目に対応する前処理情報の単位面積当たりの塗布量（ｍｇ／ｃｍ２）、前処理剤の種類、熱処理圧力（Ｎ／ｃｍ２）、熱処理時間（ｓｅｃ）、及び熱処理温度（℃）等が、夫々の欄に表示される。
【００７０】
また、本実施形態の第三設定画面９３は前処理情報を直接指定することも可能である。図１１（Ｂ）は、前処理情報を直接指定した場合の例を示している。前処理情報を直接指定する場合には、操作者は第三設定画面９３の手動設定を選択する。手動設定を選択することで、前処理情報の各項目の欄に所望の値や所望の前処理剤の種類を入力可能となる。操作者により、前処理情報の各項目の欄に所望の値や所望の前処理剤の種類が入力された後、"ＯＫボタン１１２"が選択されると入力された前処理情報が設定される。設定された前処理情報は、ＣＰＵ３０１に入力される。
【００７１】
＜第二メイン処理＞
図１２を参照して、第二メイン処理の流れを説明する。本第二メイン処理は、端末装置３の電源が投入されたことをトリガとして実行される。ＣＰＵ３０１は、ＨＤＤ３０４に記憶されている第二メイン処理用のプログラムを読み出して、ＲＡＭ３０３をワーキングメモリとして使用し、本第二メイン処理を実行する。
【００７２】
初めに、第二メイン処理のＳ１〜Ｓ３，Ｓ７〜Ｓ１５の処理は、図９に示す第一メイン処理のＳ１〜Ｓ３，Ｓ７〜Ｓ１５の処理と同じであるので、説明は省略する。なお、Ｓ７の処理では、第一メイン処理の製造情報の代わりに材質情報の各項目が選択される。
【００７３】
ＣＰＵ３０１は、Ｓ３の処理において、"前処理情報設定ボタン１１１"が選択されたと判定された場合には（Ｓ３：ＹＥＳ）、表示部３０６を制御し、第三設定画面９３を表示部３０６の画面上に表示させる（Ｓ５Ａ）。ＣＰＵ３０１は、Ｓ７〜Ｓ１５の処理を実行する。ＣＰＵ３０１は、Ｓ１５の処理を実行後、Ｓ１の処理に戻る。
【００７４】
＜第二実施形態の主な作用、及び効果＞
上記第二実施形態における端末装置３は、画像データを受付け、受付けた画像データに対し、前処理情報を特定する。故に、端末装置３は、画像データを受け付けたタイミングで、前処理情報を特定できるので、前処理の直前に前処理情報を特定するよりも前処理装置１０の生産性が低下することを低減できる。
【００７５】
上記第二実施形態における端末装置３は、材質情報を受付け、受付けた材質情報に基づき、材質情報に対応する前処理情報を特定する。従って、前処理装置１０により、被記録媒体の特性に基づいたより適切な前処理が行われる可能性が高くなる。
【００７６】
上記第二実施形態における端末装置３は、受付けた画像データと発行した識別子と特定した前処理範囲１０２とを対応付けた第一情報を、通信部３０７を介して、外部装置、例えば、サーバ２に送信する。端末装置３は、特定した前処理情報を発行した識別子と対応付けた第二情報を、外部装置、例えば、サーバ２に送信する。故に、端末装置３は、識別子と画像データと前処理範囲１０２と前処理情報とを対応付けた対応情報を外部装置、例えば、サーバ２に保持させることができる。従って、端末装置３は、第一テーブル８１を保持する必要が無いので、記憶装置を有効活用でき、端末装置３のコストを低減できる。
【００７７】
＜第三実施形態＞
第三実施形態におけるネットワーク４の構成、端末装置３の構成は第一実施形態の場合とほぼ同じである。従って、異なる部分を説明し、同じ部分の説明は省略する。第三実施形態では、ＨＤＤ３０４が、後述する第三メイン処理用のプログラムを記憶している。
【００７８】
＜第三メイン処理＞
図１３を参照して、第三メイン処理の流れを説明する。本第三メイン処理は、端末装置３の電源が投入されたことをトリガとして実行される。ＣＰＵ３０１は、ＨＤＤ３０４から第三メイン処理用のプログラムを読み出して、ＲＡＭ３０３をワーキングメモリとして使用し、本第三メイン処理を実行する。
【００７９】
初めに、第三メイン処理のＳ１〜Ｓ３，Ｓ７〜Ｓ１１の処理は、図９に示す第一メイン処理のＳ１〜Ｓ３，Ｓ７〜Ｓ１１の処理と同じであるので、説明は省略する。
【００８０】
ＣＰＵ３０１は、Ｓ３の処理において、"前処理情報設定ボタン１１１"が選択されたと判定された場合には（Ｓ３：ＹＥＳ）、表示部３０６を制御し、第二設定画面９２、又は第三設定画面９３を表示部３０６の画面上に表示させる（Ｓ５Ｂ）。ＣＰＵ３０１は、Ｓ７〜Ｓ１１の処理を実行する。ＣＰＵ３０１は、画像データと前処理範囲１０２を含む前処理情報と識別子とを対応付けた対応情報を、外部装置、例えば、サーバ２に記憶させる為に、通信部３０７を介し、送信する（Ｓ１４）。ＣＰＵ３０１は、Ｓ１の処理に戻る。
【００８１】
＜第三実施形態の主な作用、及び効果＞
上記第三実施形態における端末装置３は、画像データを受付け、受付けた画像データに対し、前処理情報を特定する。故に、端末装置３は、画像データを受け付けたタイミングで、前処理情報を特定できるので、前処理の直前に前処理情報を特定するよりも前処理装置１０の生産性が低下することを低減できる。
【００８２】
＜第四実施形態＞
第四実施形態におけるネットワーク４の構成、端末装置３の構成は第一実施形態の場合とほぼ同じである。従って、異なる部分を説明し、同じ部分の説明は省略する。第四実施形態では、ＨＤＤ３０４は、第二範囲特定処理用のプログラムを記憶している。また、ＨＤＤ３０４が、第三所定倍率ｚ（ｚ＞１）を記憶している。
【００８３】
＜前処理範囲１０２の第二特定方法＞
図１４を参照して、前処理範囲１０２の第二特定方法について説明する。前処理範囲１０２の第二特定方法は、第二範囲特定処理で実行される。受付けた画像データに対応する画像１０１は、図１４に示す様に、黒色の星であるものとする。前処理範囲１０２の第二特定方法では、ＣＰＵ３０１は、画像１０１をＨＤＤ３０４が記憶している第三所定倍率ｚにより拡大する。ＣＰＵ３０１は、拡大後の画像１０１−１の外縁の各点のプラテン３１におけるＸＹ座標を特定する。ＣＰＵ３０１は、拡大後の画像１０１−１の外縁の各点のプラテン３１におけるＸＹ座標のＸ座標、及びＹ座標の値の最小値と最大値を特定する。ＣＰＵ３０１は、最小値、又は最大値を有する全てのＸＹ座標を領域に含む矩形形状の前処理範囲１０２を特定する。
【００８４】
この際、ＣＰＵ３０１は、拡大後の画像１０１−１がプラテン３１の領域からはみ出ている場合には、拡大後の画像１０１−１の外縁の各点のプラテン３１におけるＸＹ座標のＸ座標、及びＹ座標の値の最小値、又は最大値を有する全てのＸＹ座標がプラテン３１の領域に含まれる様に、画像１０１−１を縮小する。ＣＰＵ３０１は、縮小後の画像１０１を領域に含みプラテン３１の領域からはみ出ない矩形形状の前処理範囲１０２を特定する。
【００８５】
拡大後の画像１０１−１が、プラテン３１の領域からはみ出るとは、拡大後の画像１０１−１の外縁の各点のＸＹ座標の何れかが負の値である場合を意味する。また、拡大後の画像１０１−１の外縁の各点のＸＹ座標の何れかのＸ座標、及びＹ座標の値の内で少なくとも一つが、ＨＤＤ３０４に記憶されているプラテン３１の右前端点と左後端点のＸＹ座標におけるＸ座標、又はＹ座標の値を超えている場合を意味する。
【００８６】
なお、プラテン３１のＸＹ座標は、Ｘ軸と左右方向が平行であり、左から右の方向がＸ軸の正方向である。また、Ｙ軸と前後方向が平行であり、前から後の方向がＹ軸の正方向である。原点は、プラテン３１の左前端点である。
【００８７】
＜第二範囲特定処理＞
図１５を参照して、第二範囲特定処理の流れを説明する。本第二範囲特定処理は、第一メイン処理〜第三メイン処理のＳ９の処理のサブルーチンである。ＣＰＵ３０１は、ＨＤＤ３０４から第二範囲特定処理用のプログラムを読み出して、ＲＡＭ３０３をワーキングメモリとして使用し、本第二範囲特定処理を実行する。
【００８８】
初めに、ＣＰＵ３０１は、画像データに対応する画像１０１を第三所定倍率ｚにより拡大後のプラテン３１における配置情報を求める（Ｓ４１）。一例として、ＣＰＵ３０１は、画像データに付随するプラテン３１における画像１０１の配置情報に基づき、拡大後の画像１０１−１の外縁の各点のプラテン３１におけるＸＹ座標を特定し、ＲＡＭ３０３に記憶する。ＣＰＵ３０１は、拡大後の画像１０１−１の外縁のＸ座標、及びＹ座標の最小値、及び最大値を特定する（Ｓ４３）。一例として、ＣＰＵ３０１は、拡大後の画像１０１−１の外縁の各点のプラテン３１におけるＸＹ座標のＸ座標、及びＹ座標の値の最小値、及び最大値を特定し、ＲＡＭ３０３に特定したＸ座標、及びＹ座標の値の最小値、及び最大値を記憶する。
【００８９】
ＣＰＵ３０１は、拡大後の画像１０１−１がプラテン３１の領域からはみ出ているか判定する（Ｓ４５）。一例として、ＣＰＵ３０１は、特定したＸ座標、及びＹ座標の値の最小値、又は最大値を有する全てのＸＹ座標がプラテン３１の領域に含まれているか判定することで、拡大後の画像１０１−１がプラテン３１の領域からはみ出ているか判定する。ＣＰＵ３０１は、ＨＤＤ３０４がプラテン３１の少なくとも右前端点と左後端点のＸＹ座標を記憶しているので、拡大後の画像１０１−１がプラテン３１の領域からはみ出ているか判定できる。
【００９０】
ＣＰＵ３０１は、プラテン３１の領域からはみ出ていないと判定した場合には（Ｓ４５：ＮＯ）、拡大後の画像１０１−１を領域に含む前処理範囲１０２を特定する（Ｓ４７）。一例として、ＣＰＵ３０１は、拡大後の画像１０１−１を領域に含み且つプラテン３１の領域からはみ出ない矩形形状の前処理範囲１０２を特定し、ＲＡＭ３０３に特定した前処理範囲１０２を記憶する。ＣＰＵ３０１は、第一メイン処理〜第三メイン処理の内の実行中のＳ５の処理に進む。
【００９１】
ＣＰＵ３０１は、プラテン３１の領域からはみ出ていると判定した場合には（Ｓ４５：ＹＥＳ）、拡大した画像１０１−１を縮小する（Ｓ４９）。一例として、ＣＰＵ３０１は、特定した最小値、又は最大値を有する全てのＸＹ座標がプラテン３１の領域に含まれる様に拡大した画像１０１−１を縮小する。ＣＰＵ３０１は、縮小後の画像１０１を領域に含む前処理範囲１０２を特定する（Ｓ５１）。一例として、ＣＰＵ３０１は、縮小後の画像１０１を領域に含み且つプラテン３１の領域からはみ出ない様に矩形形状の前処理範囲１０２を特定し、ＲＡＭ３０３に特定した前処理範囲１０２を記憶する。ＣＰＵ３０１は、第一メイン処理〜第三メイン処理の内の実行中のＳ５の処理に進む。
【００９２】
＜第四実施形態の主な作用、及び効果＞
上記第四実施形態における端末装置３は、受付けた画像データに対応する画像１０１を第三所定倍率ｚで拡大し、拡大後の画像１０１−１を領域に含む前処理範囲１０２を特定する。故に、端末装置３は拡大後の画像１０１−１を含む範囲を前処理範囲１０２とするので、前処理装置１０にて前処理が行われる際に、前処理範囲１０２がずれたとしても、画像１０１が配置される範囲に前処理が適切に行われる可能性が高くなる。
【００９３】
上記第四実施形態における前処理範囲１０２は矩形形状である。故に、端末装置３は、円などの曲線から成る形状により拡大した画像１０１−１を含む領域を特定するよりも適切に拡大した画像１０１−１を含む領域を特定できる。従って、前処理装置１０により、より適切に前処理が行われる可能性が高くなる。
【００９４】
上記第四実施形態における端末装置３は、拡大後の画像１０１−１がプラテン３１の領域からはみ出ている場合には、拡大後の画像１０１−１をプラテン３１の領域からはみ出ない様に縮小し、縮小後の画像１０１を領域に含む前処理範囲１０２を再度特定する。故に、端末装置３は、プラテン３１の領域からはみ出た前処理範囲１０２を特定しないので、前処理装置１０のエラーを低減可能な前処理範囲１０２を特定できる。
【００９５】
＜第五実施形態＞
第四実施形態におけるネットワーク４の構成、端末装置３の構成は第一実施形態の場合とほぼ同じである。従って、異なる部分を説明し、同じ部分の説明は省略する。第五実施形態では、ＨＤＤ３０４が、後述する第三範囲特定処理用のプログラムを記憶している。ＨＤＤ３０４は、プラテン３１（図１６参照）における後述するＸＹ座標の内で、プラテン３１の少なくとも右前端点と左後端点のＸＹ座標を記憶している。
【００９６】
＜前処理範囲１０２の第二特定方法＞
図１６を参照して、前処理範囲１０２の第二特定方法を説明する。前処理範囲１０２の第二特定方法は、後述する第三範囲特定処理で実行される。画像データに対応する画像１０１は、図１６に示す様に、黒色の星であるものとする。前処理範囲１０２の第一設定方法は、画像１０１を領域に含む矩形形状の余白領域１０３を設定する。余白領域１０３の縦Ｌと幅Ｗの比は予め設定され、該比の情報はＨＤＤ３０４に記憶されている。余白領域１０３の縦Ｌと幅Ｗの比は、プラテン３１の長尺方向（前後方向）の長さと短尺方向（左右方向）の長さの比と同じであっても良いし、異なっていても良い。
【００９７】
ＣＰＵ３０１は、設定した余白領域１０３の縦Ｌを第一所定倍率ｎ（ｎ＞１）により、幅Ｗを第二所定倍率ｍ（ｍ＞１）により拡大する。第一所定倍率ｎと第二所定倍率ｍは等しくても良いし、異なっていても良い。第一所定倍率ｎと第二所定倍率ｍの値は予め設定され、ＨＤＤ３０４に記憶されている。ＣＰＵ３０１は、拡大後の領域を前処理範囲１０２として特定する。この際、ＣＰＵ３０１は、特定した前処理範囲１０２が、プラテン３１の領域からはみ出ている場合には、プラテン３１の領域からはみ出た部分を、設定した前処理範囲１０２から除去した範囲を前処理範囲１０２として特定する。
【００９８】
特定した前処理範囲１０２が、プラテン３１の領域からはみ出るとは、特定した前処理範囲１０２の四つの角のＸＹ座標の何れかが負の値である場合を意味する。また、特定した前処理範囲１０２の四つの角のＸＹ座標の何れかのＸ座標、及びＹ座標の値の内で少なくとも一つが、ＨＤＤ３０４に記憶されているプラテン３１の右前端点と左後端点のＸＹ座標におけるＸ座標、又はＹ座標の値を超えている場合を意味する。
【００９９】
＜第三範囲特定処理＞
図１７を参照して、第三範囲特定処理の流れを説明する。本第三範囲特定処理は、第一メイン処理〜第三メイン処理のＳ９の処理のサブルーチンである。ＣＰＵ３０１は、ＨＤＤ３０４から第三範囲特定処理用のプログラムを読み出して、ＲＡＭ３０３をワーキングメモリとして使用し、本第三範囲特定処理を実行する。
【０１００】
初めに、ＣＰＵ３０１は、受付けた画像データに付随する画像１０１の配置情報に基づき、画像１０１の外縁の各点におけるＸＹ座標を特定する（Ｓ６１）。なお、画像１０１の配置情報は、プラテン３１における画像データに対応する画像１０１の配置情報である。ＣＰＵ３０１は、画像１０１を領域に含む矩形形状の余白領域１０３を設定する（Ｓ６３）。一例として、ＣＰＵ３０１は、画像１０１の外縁の各点におけるＸＹ座標に基づき、画像１０１のＸ座標の最小値、及び最大値、及びＹ座標の最小値、及び最大値を特定する。ＣＰＵ３０１は、特定したＸ座標、及びＹ座標の最小値、及び最大値を領域内に全て含む余白領域１０３を設定し、ＲＡＭ３０３に設定した余白領域１０３の情報を記憶する。
【０１０１】
ＣＰＵ３０１は、設定した余白領域１０３に基づき、前処理範囲１０２を特定する（Ｓ６５）。一例として、ＣＰＵ３０１は、設定した余白領域１０３の縦Ｌ（前後方向）を第一所定倍率ｎにより、幅Ｗ（左右方向）を第二所定倍率ｍにより拡大する。ＣＰＵ３０１は、拡大後の余白領域１０３を前処理範囲１０２として特定する。
【０１０２】
ＣＰＵ３０１は、特定した前処理範囲１０２がプラテン３１の領域からはみ出ているか判定する（Ｓ６７）。一例として、ＣＰＵ３０１は、特定した前処理範囲１０２の四つの角のＸＹ座標の何れかが負の値であるか判定することで、特定した前処理範囲１０２はプラテン３１の領域からはみ出ているか判定する。更に、ＣＰＵ３０１は、特定した前処理範囲１０２の四つの角のＸＹ座標の何れかのＸ座標、及びＹ座標の値の内で少なくとも一つが、ＨＤＤ３０４に記憶されているプラテン３１の右前端点と左後端点のＸＹ座標におけるＸ座標、及びＹ座標の値を超えているか判定することで、特定した前処理範囲１０２はプラテン３１の領域からはみ出ているか判定する。
【０１０３】
ＣＰＵ３０１は、はみ出ていると判定した場合には（Ｓ６７：ＹＥＳ）、プラテン３１の領域に基づき、前処理範囲１０２を再度特定する（Ｓ６９）。一例として、ＣＰＵ３０１は、プラテン３１の領域からはみ出ている範囲を除去した領域を前処理範囲１０２として特定する。ＣＰＵ３０１は、第一メイン処理〜第三メイン処理の内の実行中のＳ５の処理に進む。ＣＰＵ３０１は、はみ出ていないと判定した場合には（Ｓ６７：ＮＯ）、第一メイン処理〜第三メイン処理の内の実行中のＳ５の処理に進む。
【０１０４】
＜第五実施形態の主な作用、及び効果＞
上記第五実施形態における端末装置３は、画像１０１を領域に含む余白領域１０３を設定し、設定した余白領域１０３に基づき、前処理範囲１０２を特定する。故に、端末装置３は、操作者により前処理範囲１０２が指定されなくても、余白領域１０３に基づき前処理範囲１０２が特定できる。
【０１０５】
上記第五実施形態における端末装置３は、特定した前処理範囲１０２がプラテン３１の領域からはみ出ている場合には、プラテン３１の領域からはみ出ている範囲を除去した領域を前処理範囲１０２として再度特定する。故に、端末装置３は、プラテン３１の領域からはみ出た前処理範囲１０２を特定しないので、前処理装置１０のエラーを低減可能な前処理範囲１０２を特定できる。
【０１０６】
＜変形例＞
第一メイン処理〜第三メイン処理の各ステップは、矛盾が生じない範囲で順番を入れ替えても良い。また、第一メイン処理の〜第三メイン処理の各ステップは、矛盾が生じない範囲で組み替えても良いし、組み合わせても良い。
【０１０７】
例えば、第一メイン処理〜第三メイン処理のＳ３〜Ｓ７の処理をＳ１１の後に行っても良いし、Ｓ１３の後に行っても良い。
【０１０８】
第一メイン処理、及び第二メイン処理において、端末装置３は、製造情報、又は材質情報に基づき前処理情報を特定すると説明したが、これに限定されるわけではなく、製造情報、及び材質情報とに基づき前処理情報を特定しても良い。従って、端末装置３は、製造情報、及び材質情報の少なくとも一方に基づき前処理情報を特定する。製造情報、及び材質情報の少なくとも一方を含む情報を「メディア情報」と言う。
【０１０９】
第一前処理特定処理は、第一メイン処理のみではなく、第二メイン処理、及び第三メイン処理にも適用できる。
【０１１０】
前処理範囲１０２の第一特定方法において、ＣＰＵ３０１は、受付けた画像データに対応する画像１０１を領域に含む矩形形状の前処理範囲１０２を特定した。しかしながら、これに限定されるわけではなく、例えば、ＣＰＵ３０１は、画像１０１を領域に含む円や楕円等の他の形状の前処理範囲１０２を特定しても良い。
【０１１１】
前処理範囲１０２の第二特定方法において、ＣＰＵ３０１は、拡大後の画像１０１がプラテン３１の領域からはみ出ているか判定した後に、拡大後の画像１０１を領域に含む前処理範囲１０２を特定した。しかしながら、これに限定されるわけではなく、例えば、ＣＰＵ３０１は、拡大後の画像１０１を領域に含む前処理範囲１０２を特定した後に、特定した前処理範囲１０２がプラテン３１の領域からはみ出ているか判定しても良い。
【０１１２】
前処理範囲１０２の第二特定方法において、ＣＰＵ３０１は、プラテン３１を分割した領域毎に前処理装置１０の熱処理部５０が熱処理できない場合に、塗布範囲を含む全ての行範囲から成る領域を熱処理範囲とすると説明した。しかしながら、これに限定されるわけではなく、例えば、ＣＰＵ３０１は、塗布範囲を含む全ての列範囲から成る領域を熱処理範囲として特定しても良い。
【０１１３】
図８に示す具体例による、熱処理範囲の特定方法の説明において、ＣＰＵ３０１は、前処理を行う前処理装置１０が備える熱処理部５０がプラテン３１の領域を分割した領域毎に、熱処理できる場合には、塗布範囲を熱処理範囲として特定すると説明した。しかしながら、これに限定されるわけではなく、ＣＰＵ３０１は、受付けた画像データに対応する画像１０１の外縁の各点を含む熱処理部５０が熱処理できる単位範囲を特定し、特定した単位範囲で囲まれた範囲を熱処理範囲として特定しても良い。
【０１１４】
前処理情報作成装置として端末装置３を例にし、各実施形態を説明したが、前処理情報作成装置は、前処理装置１０、又はプリンタ１であっても良い。
【０１１５】
上記各実施形態において前処理情報に含まれる前処理剤の塗布量として、単位面積当たりの塗布量（ｍｇ／ｃｍ２）であるとして説明した。しかしながら、これに限定されるわけではなく、例えば、所定面積の塗布量であっても良いし、前処理範囲１０２の塗布量であっても良い。
【０１１６】
第一メイン処理〜第三メイン処理のＳ１２の処理で表示される第二設定画面９２により前処理情報を特定する際、又はＳ１４Ａの処理において前処理情報を特定する際に、ＣＰＵ３０１は、前処理情報の塗布情報として前処理剤の種類、及び前処理剤の塗布量の少なくとも一方を特定しても良い。この様にすることで、端末装置３は、画像データを受け付けたタイミングで、前処理剤の種類と前処理剤の塗布量の少なくとも一つを特定できる。従って、前処理装置１０は、前処理の直前に前処理剤の種類と前処理剤の塗布量の少なくとも一つを特定するよりも生産性が低下することを低減できる。
【０１１７】
第一メイン処理〜第三メイン処理のＳ１２の処理で表示される第二設定画面９２により前処理情報を特定する際、又はＳ１４Ａの処理において前処理情報を特定する際に、ＣＰＵ３０１は、前処理情報の熱処理情報として熱処理圧力（Ｎ／ｃｍ２）、熱処理時間（ｓｅｃ）、熱処理温度（℃）、及び熱処理回数の少なくとも一つを特定しても良い。この様にすることで、端末装置３は、画像データを受け付けたタイミングで、熱処理圧力（Ｎ／ｃｍ２）、熱処理時間（ｓｅｃ）、熱処理温度（℃）、及び熱処理回数の少なくとも一つを特定できる。従って、前処理装置１０は、前処理の直前に熱処理圧力（Ｎ／ｃｍ２）、熱処理時間（ｓｅｃ）、熱処理温度（℃）、及び熱処理回数の少なくとも一つを特定するよりも生産性が低下することを低減できる。
【０１１８】
メイン処理等を実行する為のプログラム等は、インターネット上のサーバ装置が有するディスク装置等に記憶し、端末装置３、は各種のプログラムをダウンロード等しても良い。
【０１１９】
実施形態または変形例に応じて、端末装置３は、ＲＯＭ、ＲＡＭ以外の他の種類の記憶装置を利用しても良い。例えば、端末装置３は、ＣＡＭ(Content Addressable Memory)、ＳＲＡＭ(Static Random Access Memory)、ＳＤＲＡＭ(Synchronous Dynamic Random Access Memory)等の記憶装置を有しても良い。
【０１２０】
実施形態または変形例に応じて、端末装置３の電気的構成は図３と異なっていても良く、図３に例示した規格・種類以外のその他のハードウェアが端末装置３に適用できる。
【０１２１】
例えば、図３に示す端末装置３の制御部は、ハードウェア回路で実現しても良い。具体的には、ＣＰＵ３０１の代わりに、ＦＰＧＡ(Field Programmable Gate Array)等のリコンフィギュラブル回路、又はＡＳＩＣ(Application Specific Integrated Circuit)等で、制御部は実現しても良い。ＣＰＵ３０１とハードウェア回路の双方で、制御部は実現しても良い。
【０１２２】
＜その他＞
ＣＰＵ３０１は、本発明の「コンピュータ」の一例である。ＣＰＵ３０１は、本発明の「制御部」の一例である。ＨＤＤ３０４は、本発明の「記憶部」の一例である。プラテン３１の領域を分割した領域は、本発明の「単位塗布範囲」又は「単位熱処理範囲」である。端末装置３は、本発明の「前処理情報作成装置」の一例である。スプレーは、本発明の「塗布部」の一例である。第一メイン処理〜第三メイン処理のＳ１は、本発明の「第一受付ステップ」の一例である。第一メイン処理〜第三メイン処理のＳ７、及びＳ９は、本発明の「特定ステップ」の一例である。第一メイン処理、及び第二メイン処理のＳ１３、及びＳ１５は、本発明の「記憶ステップ」の一例である。第一メイン処理〜第三メイン処理のＳ１１は、本発明の「発行ステップ」の一例である。第一メイン処理、及び第二メイン処理のＳ７は、本発明の「第二受付ステップ」の一例である。
【符号の説明】
【０１２３】
３        端末装置
１０      前処理装置
３０１    ＣＰＵ
３０４    ＨＤＤ
【図１】
2019117590.tif 000003
【図２】
2019117590.tif 000004
【図３】
2019117590.tif 000005
【図４】
2019117590.tif 000006
【図５】
2019117590.tif 000007
【図６】
2019117590.tif 000008
【図７】
2019117590.tif 000009
【図８】
2019117590.tif 000010
【図９】
2019117590.tif 000011
【図１０】
2019117590.tif 000012
【図１１】
2019117590.tif 000013
【図１２】
2019117590.tif 000014
【図１３】
2019117590.tif 000015
【図１４】
2019117590.tif 000016
【図１５】
2019117590.tif 000017
【図１６】
2019117590.tif 000018
【図１７】
2019117590.tif 000019